【事件の表示】
　平成　４年特許願第３１４１７２号「パチンコ機」拒絶査定不服審判事件〔平成　６年　５月１７日出願公開、特開平　６−１３４１１２〕について、次のとおり審決する。
【結　論】
　本件審判の請求は、成り立たない。
【理　由】
【１】出願の経緯及び出願の発明
　本願は、平成４年１０月２８日の出願であって、平成１３年１０月２４日付けで拒絶査定がなされ、これに対し、同年１１月２８日に拒絶査定に対する審判請求がなされるとともに、同年１１月２８日付けで手続き補正がなされたものであって、その請求項１に係る発明は、明細書の特許請求の範囲の請求項１に記載されたとおりの、
「発光素子によって電気的に表示される複数の図柄の変動表示が可能な第１の表示体と、表面に表示する複数の図柄の一部が前記第１の表示体で隠れるように傾斜させるとともに前記第１の表示体よりも部分的に前方側へ突出させる構造とし駆動手段によって回転駆動して前記複数の図柄の変動表示が可能な円盤状の第２の表示体とを有する図柄表示装置と、
　前記両表示体が特定した図柄の組合わせの判定結果に基づいて開閉制御される入賞口を有する入賞装置とを備えたことを特徴とするパチンコ機。」（以下、「本願発明」という。）
にあるものと認められる。
　　　　
【２】刊行物記載の事項
　刊行物１：特開平１−３０３１７１号公報
　刊行物２：特開平２−１７４８７５号公報
　刊行物３：特開昭６３−２８８１７９号公報
　　　　
１．刊行物１について 
　原審における平成１３年７月１２日付けの拒絶理由通知書で引用し、本願出願前に日本国内において頒布された刊行物１（特開平１−３０３１７１号公報）には、パチンコ遊技機に関して、以下の事項が記載されている。 
「パチンコ遊技機１０は、前面枠１１と、該前面枠１１に着脱自在に装着された遊技盤１とを含む。遊技盤１には、セーフ孔２ａ、２ｂ、入賞玉によって後述の可変表示装置５０を可変表示できる条件の定められた入賞領域３ａないし３ｃ、複数のヤクモノ（通称チューリップ）４ａ、４ｂ、およびアウト玉入口５が形成されている。」（第３頁右下欄第２〜９行）
「遊技盤１のほぼ中央部には、可変入賞球・可変表示装置３０が配設されている。可変入賞球・可変表示装置３０は、後述の第３図ないし第５図を参照して説明する可変入賞球装置４０および可変表示装置５０が取付板３１に一体的に装着されて構成されている。可変表示装置５０は、機械的可変表示部材の一例の回転ドラム表示機構５０Ａおよび電気的可変表示部材の一例のセグメント表示器５０Ｂを含んで構成されている。そして、可変表示装置５０は、入賞領域３ａ〜３ｃへの入賞玉に応じて回転ドラム表示機構５０Ａおよびセグメント表示器５０Ｂの可変表示を開始し、遊技者の停止指令操作または可変表示開始から一定時間後において、可変表示を停止する。このときの回転ドラム表示機構５０Ａの表示状態とセグメント表示器５０Ｂの表示状態との組合わせが所定の状態になったとき、可変入賞球装置４０を開成駆動できるように定められた特定遊技状態になったことが判断される。」（第３頁右下欄第１９行〜第４頁左上欄第１７行）
「可変入賞球装置４０は枠部材４２の前面（すなわち開口部３２に関連する部分）に回動自在に装着された開閉板４１を含む。」（第５頁左下欄第１〜４行参照）
「可変表示装置５０の詳細について説明する。可変表示装置５０は、回転ドラム表示機構５０Aおよびセグメント表示器５０Ｂを含んでいる。回転ドラム表示機構５０Ａは、第５図に示されるような構成である。第５図を参照して、回転ドラム群５１は、複数列の回転ドラム５１ａ、５１ｂ、５１ｃを含んでいる。各列の回転ドラム５１a〜５１cの外周上には、絵模様や記号や数字などの識別情報（たとえばベル、星、ヨットなどの絵模様または数字もしくはアルファベットなどの記号）が描かれている。各列の回転ドラム５１ａ〜５１ｃ・・・・回転ドラムを駆動するためのモータ５６が装着されている。」（第６頁右上欄第１４行〜同頁左下欄第１７行）
　以上の記載から、刊行物１には、以下の発明が記載されているものと認められる。（以下「引用発明１」という。）　　
「パチンコ遊技機１０の前面枠１１に着脱自在に装着された遊技盤１のほぼ中央部に可変入賞球・可変表示装置３０を備え、可変表示装置３０は、モータで駆動する機械的可変表示部材の回転ドラム表示機構５０Ａおよび電気的可変表示部材のセグメント表示器５０Ｂを備え、入賞領域３ａ〜３ｃへの入賞玉に応じて回転ドラム表示機構５０Ａおよびセグメント表示器５０Ｂの可変表示を開始し、遊技者の停止指令操作、または可変表示開始から一定時間後に可変表示を停止し、このときの回転ドラム表示機構５０Ａの表示状態とセグメント表示器５０Ｂの表示状態との組合わせが所定の状態になると特定遊技状態であると判断され、可変入賞球装置４０の開閉板４１を開成駆動するパチンコ遊技機１０。」
　　　
２．刊行物２について
　同じく、刊行物２（特開平２−１７４８７５号公報）には、弾球遊技機に関して、以下の事項が記載されている。
「遊技盤１上には、特賞領域の一例のセーフ孔２ａ〜２ｃ、セーフ孔３、複数のヤクモノ（通称チューリップ）４ａおよび４ｂ、ならびに可変入賞球装置５が配設される。また、遊技盤１のほぼ中央部には、可変表示部材の一例の表示装置２０が装着される。表示装置２０は、後述の第３Ａ図〜第３Ｃ図を参照して詳細に説明する回転ドラム表示器３０を含む。」（第３頁右上欄第９〜１６行）
「表示装置２０は、表示枠２１を含む。表示枠２１には、回転ドラム表示器３０の一部を外部から視認できるようにするための表示窓２２が形成される。表示窓２２の大きさは、横方向の長さが回転ドラム表示器３０に含まれる複数（図示では３個）の回転ドラム３１ａ〜３１ｃを横方向に並べた幅よりもやや長く、縦方向長さが各回転ドラム３１ａ〜３１ｃの外周部分に形成されている識別情報を複数（図示では３個）だけ表示できる程度の長さに選ばれる。」（第４頁左下欄第４〜１３行）
「さらに、表示窓２２よりも上部の表示枠２１には、必要に応じてセグメント表示器２８が設けられる。セグメント表示器２８は、回転ドラム表示器３０の機械的な可変表示に合わせて電気的可変表示を行うことにより、最大価値を付与可能な表示状態の発生確率を低くするために用いられる。」（第４頁右下欄第１５〜２０行）
「回転ドラム表示器３０のいずれかの組合わせ有効列上での組合わせが「ＡＡＡ」であり、セグメント表示器２８の識別情報が「７」であることが判断されると、ステップ４５へ進む。ステップ４５において、第１の価値として最大価値を付与するための処理、たとえば開閉駆動回路４７を駆動させてソレノイド１５ａを３０秒だけ付勢することによって、プレート５ａが３０秒だけ開成される。」（第１１頁左上欄第１５行〜同頁右上欄第２行）
　　　
３．刊行物３について
　同じく、刊行物３（特開昭６３−２８８１７９号公報）には、弾球遊技機に関して、以下の事項が記載されている。
「遊技盤１のほぼ中央部には、表示窓が形成されていて、この表示窓に可変表示装置５００が配設される。この可変表示装置５００は、飾り枠５０１に電気的可変表示器の一例のセグメント表示器５０２を形成するとともに、可変表示部材の一例の回転ドラム機構（後述の第４図に示す）５０を形成して構成される。そして、可変表示装置５００は、前記入賞領域３ａ、３ｂへの入賞玉に応じてセグメント表示器５０２および回転ドラム機構５０の可変表示を開始し、遊技者の停止指令または可変表示開始から一定時間後においてその可変表示を停止する。このときのセグメント表示器５０２の表示状態および回転ドラム機構５０の表示状態の組合わせが所定の状態になったとき、前記可変入賞球装置３０を開成駆動可能に定められた特定の遊技状態になったことが判断される。」（第２頁左下欄第１７行〜同頁右下欄第１２行）
　　　
【３】対比・判断 
 １．本願発明について 
 （ア）本願発明と引用発明１との対比 
　本願発明と引用発明１とを対比すると、引用発明１の「モータ」、「回転ドラム表示機構」、「可変表示装置」、「開閉板」、「可変入賞球装置」、「パチンコ遊技機」が、本願発明の「駆動手段」、「第２の表示体」、「図柄表示装置」、「入賞口」、「入賞装置」、「パチンコ機」にそれぞれ相当し、また、引用発明１の「セグメント表示器」は、通常発光素子によって電気的に複数の図柄である複数の数字を変動表示することから、本願発明の「第１の表示体」に相当するものと認められる。 
　してみると、本願発明と引用発明１とは、 
「発光素子によって電気的に表示される複数の図柄の変動表示が可能な第１の表示体と、駆動手段によって回転駆動して前記複数の図柄の変動表示が可能な第２の表示体とを有する図柄表示装置と、
　前記両表示体が特定した図柄の組合わせの判定結果に基づいて開閉制御される入賞口を有する入賞装置とを備えたパチンコ機。」 
である点で一致し、以下の点で相違する。 
 ＜相違点１＞ 
　第２の表示体が、本願発明では円盤状であるのに対し、引用発明１の表示体は回転ドラム状であって円盤状ではない点。 
 ＜相違点２＞ 
　第２の表示体が、本願発明では表面に表示する複数の図柄の一部が第１の表示体で隠れるように傾斜させるとともに第１の表示体よりも部分的に前方へ突出させる構造としたのに対し、引用発明１にはこの構成が記載されていない点。 
　　
２．相違点についての検討 
 ＜相違点１＞について 
　パチンコ機において、複数の図柄を回転駆動する可変表示体に、円盤状の表示体を用いた点について、この出願の出願前において頒布された刊行物である特開平２−２６４６８３号公報に、パチンコ遊技機の遊技盤に、複数の図柄が付された複数の回転表示盤を設け、モータで回転駆動させて所定条件で大入賞口を開放させるようにした点が記載され（「第２頁左上欄第６〜１６行」、「第４頁左上欄第１〜５行」参照）、また同じく、特開平２−２６８７８４号公報に、複数の回転表示盤をモータにより回転及び停止し、大当たり表示であるか判別して大入賞口を開放することが記載されているから（「第２頁左上欄第８行〜同頁右上欄第６行」参照）、パチンコ機に回転駆動する円盤状の表示体を用いることは、当該技術分野においては周知技術である。
　そうすると、引用発明１の回転ドラム表示機構に代えて上記周知技術の円盤状の表示体を採用し相違点１に係る構成とすることは、格別の技術的困難性が生じることでもなく、当業者が容易に想到できたものである。
 ＜相違点２＞について 
　円盤状の第２の表示体を、表面に表示する複数の図柄の一部が電気的に表示される第１の表示体で隠れるように傾斜させた点について、この出願の出願前において頒布された刊行物である特開平２−２８９２８１号公報に、遊技機において複数のシンボルを周面に連設した各回転体を、奥行が小さくなるように斜めに重畳して配置したと記載され（「第３頁左上欄第１〜同頁左下欄第２行」及び第１、２図参照）、また、実願平２−１２２７３９号（実開平４−７７９８０号）のマイクロフィルム）に、複数種類のマークが描かれている複数枚の円板を、奥行きが小さくなるように軸方向に近接して重ね合わせて配置したと記載されており（「第３頁第１５行〜第５頁第１２行」及び第１〜３図参照）、ともに隣接する円盤状の表示体の図柄の一部が隠れるように配置されているから、円盤状の表示体の表面に表示された複数の図柄の一部を、隣接する他の円盤状の表示体で隠れるように斜めに配置することは、当該技術分野においては周知技術である。
　但し、円盤状の表示体に隣接する表示体が円盤状であることで、電気的表示を行う第１の表示体とは異なるが、上記周知技術はいずれも、奥行きが小さくなるように互いの表示体の一部を重ねて配置するものであるから、円盤状の表示体を配置する際に、隣接する表示体が通常パチンコ機で広く使用される電気的表示のもの（上記刊行物１〜３の「セグメント表示器」を参照）においても、上記周知技術と同様、奥行きを小さくするために、図柄の一部が隠れるように傾斜して配置することは、当業者が適宜になし得ることである。
　また、円盤状の第２の表示体を電気的に表示される第１の表示体よりも部分的に前方側に突出させる構造とした点について、その技術的意義が明細書に記載がなく必ずしも明らかではないが、円盤状の表示体を傾斜配置する際、例えば、上記刊行物の特開平２−２８９２８１号公報のように、本体内部では奥行きの小さい配置が要求される事を考慮すれば、本願発明においても同様に、円盤状の表示体を電気的に表示する表示体よりも前方側に突出させて内部の奥行きの小さい配置にすることは、当業者であれば当然に採用し得る設計変更にしかすぎないことである。
　そうすると、引用発明１の回転ドラムに上記周知技術を適用し、相違点２に係る構成とすることは、当業者が容易に想到できたものである。 
　
３．作用効果・判断 
 そして、本願発明によって奏する効果も、刊行物１記載の発明及び上記周知技術から予測できる範囲のものであって、格別なものとは認められないから、本願発明は刊行物１記載の発明及び周知技術に基づき当業者が容易に発明をすることができたものといわざるを得ない。 
　　
【４】むすび 　　 
　したがって、本願発明は、刊行物１記載の発明及び周知技術に基づき当業者が容易に発明できたものであるから、特許法第２９条第２項の規定により、特許を受けることができないものであり、他の請求項に係る発明について検討するまでもなく、本願は拒絶すべきものである。
  よって、結論のとおり審決する。